(57)【要約】【課題】本発明は、頭部に装着されて使用される表示装置に関し、装着者にとって比較的目障りにならない表示装置を提供することを目的とする。【解決手段】装着者に画像を表示するための表示手段と、前記表示手段を支持する支持手段と、前記支持手段を支持し顔の前面にかからない位置に装着される装着手段とを備え、前記支持手段は、前記表示手段を前記装着者の眼前に配置する位置から、後頭部側へ水平または略水平に移動可能に構成されていることを特徴とする。【選択図】      図１
2004207847.tif 000002
【特許請求の範囲】
【請求項１】
装着者に画像を表示するための表示手段と、
前記表示手段を支持する支持手段と、
前記支持手段を支持し顔の前面にかからない位置に装着される装着手段と、
を備え、
前記支持手段は、前記表示手段を前記装着者の眼前に配置する位置から、後頭部側へ水平または略水平に移動可能に構成されていることを特徴とする表示装置。
【請求項２】
請求項１記載の表示装置において、
前記支持手段は、頭部側方を通って移動可能に構成されていることを特徴とする表示装置。
【請求項３】
請求項１または請求項２記載の表示装置において、
前記支持手段は、頭部の輪郭に沿って移動可能に構成されていることを特徴とする表示装置。
【請求項４】
請求項１ないし請求項３のいずれか１項記載の表示装置において、
前記支持手段は、前記装着手段に沿って移動可能に構成されていることを特徴とする表示装置。
【請求項５】
請求項４記載の表示装置において、
前記支持手段は、前記装着手段に収容可能とされていることを特徴とする表示装置。
【請求項６】
請求項１ないし請求項５のいずれか１項記載の表示装置において、
前記装着手段は、
前記装着者の頭部に保持される少なくとも２点の保持部と、
前記保持部を連結する連結部と、
を有することを特徴とする表示装置。
【請求項７】
請求項６記載の表示装置において、
前記保持部は、頭部の両側となる位置に配置されることを特徴とする表示装置。
【請求項８】
請求項７記載の表示装置において、
前記頭部の両側となる位置は、両耳であることを特徴とする表示装置。
【請求項９】
請求項６ないし請求項８のいずれか１項記載の表示装置において、
前記保持部は、前記保持部を耳に装着する耳装着部材を有することを特徴とする表示装置。
【請求項１０】
請求項６ないし請求項９のいずれか１項記載の表示装置において、
前記連結部は、後頭部側に位置されることを特徴とする表示装置。
【請求項１１】
請求項８ないし請求項１０のいずれか１項記載の表示装置において、
前記保持部は、音声出力手段を有することを特徴とする表示装置。
【請求項１２】
請求項１ないし請求項５のいずれか１項記載の表示装置において、
前記装着手段は、前記装着者の片耳にのみ装着されることを特徴とする表示装置。
【発明の詳細な説明】
【０００１】
【発明の属する技術分野】
本発明は、表示装置に係わり、特に、頭部に装着されて使用される表示装置に関する。
【０００２】
【従来の技術】
従来、頭部に装着されて使用される表示装置として、例えば、特開平８−３２０４５３号公報に開示されるものが知られている。
この公報に開示される表示装置では、表示部を保持する保持部が、所謂ヘアバンド形状をしており、額に保持部を装着することにより、表示部が眼前に保持される。
【０００３】
【特許文献１】
特開平８−３２０４５３号公報
【０００４】
【発明が解決しようとする課題】
しかしながら、このような従来の表示装置では、頭部への装着時に、表示部を保持する保持部が、額に沿って横に位置されるため、比較的目障りであるという問題があった。
【０００５】
また、特に女性では、保持部に化粧等が付着するという問題があった。
本発明は、かかる従来の問題を解決したもので、装着者にとって比較的目障りにならない表示装置を提供することを目的とする。
【０００６】
【課題を解決するための手段】
請求項１の表示装置は、装着者に画像を表示するための表示手段と、前記表示手段を支持する支持手段と、前記支持手段を支持し顔の前面にかからない位置に装着される装着手段とを備え、前記支持手段は、前記表示手段を前記装着者の眼前に配置する位置から、後頭部側へ水平または略水平に移動可能に構成されていることを特徴とする。
【０００７】
請求項２の表示装置は、請求項１記載の表示装置において、前記支持手段は、頭部側方を通って移動可能に構成されていることを特徴とする。
請求項３の表示装置は、請求項１または請求項２記載の表示装置において、前記支持手段は、頭部の輪郭に沿って移動可能に構成されていることを特徴とする。
請求項４の表示装置は、請求項１ないし請求項３のいずれか１項記載の表示装置において、前記支持手段は、前記装着手段に沿って移動可能に構成されていることを特徴とする。
【０００８】
請求項５の表示装置は、請求項４記載の表示装置において、前記支持手段は、前記装着手段に収容可能とされていることを特徴とする。
請求項６の表示装置は、請求項１ないし請求項５のいずれか１項記載の表示装置において、前記装着手段は、前記装着者の頭部に保持される少なくとも２点の保持部と、前記保持部を連結する連結部とを有することを特徴とする。
【０００９】
請求項７の表示装置は、請求項６記載の表示装置において、前記保持部は、頭部の両側となる位置に配置されることを特徴とする。
請求項８の表示装置は、請求項７記載の表示装置において、前記頭部の両側となる位置は、両耳であることを特徴とする。
請求項９の表示装置は、請求項６ないし請求項８のいずれか１項記載の表示装置において、前記保持部は、前記保持部を耳に装着する耳装着部材を有することを特徴とする。
【００１０】
請求項１０の表示装置は、請求項６ないし請求項９のいずれか１項記載の表示装置において、前記連結部は、後頭部側に位置されることを特徴とする。
請求項１１の表示装置は、請求項８ないし請求項１０のいずれか１項記載の表示装置において、前記保持部は、音声出力手段を有することを特徴とする。
請求項１２の表示装置は、請求項１ないし請求項５のいずれか１項記載の表示装置において、前記装着手段は、前記装着者の片耳にのみ装着されることを特徴とする。
【００１１】
【発明の実施の形態】
以下、本発明の実施形態を図面を用いて詳細に説明する。
（第１の実施形態）
図１は、本発明の表示装置の第１の実施形態を示している。
この実施形態の表示装置は、装着者Ｍに画像を表示するための表示手段である表示部１１を有している。
【００１２】
この実施形態では、表示部１１は、装着者Ｍの左目ＬＩにのみ画像を表示する。
表示部１１は、支持手段である支持部１３を介して装着手段１５に支持されている。
【００１３】
装着手段１５は、頭部Ｈの前面、すなわち、顔Ｆにかからない位置に装着可能とされている。
装着手段１５は、装着者Ｍの頭部Ｈに配置される２箇所の保持部１７，１９と、保持部１７，１９を連結する連結部２１とを有している。
この実施形態では、保持部１７，１９は、接続部２３を介して連結部２１に固定され、顔Ｆの両側となる耳Ｙの位置に配置されている。
【００１４】
また、連結部２１は、顔Ｆと反対側の後頭部ＨＢに位置されている。
連結部２１は、後頭部ＨＢに沿った曲線状に形成されている。
連結部２１は、例えば、弾性を有する樹脂により形成されている。
この実施形態では、保持部１７，１９には、音声出力手段であるスピーカ２５が配置されている。
【００１５】
そして、図２に示すように、支持部１３は、表示部１１を装着者Ｍの左目ＬＩの眼前に配置する位置から、頭部側方ＨＳを通って、後頭部ＨＢ側に水平に移動できるようになっている。
支持部１３は、頭部側方ＨＳに沿った曲線状に形成されている。
支持部１３は、例えば、弾性を有する樹脂により形成されている。
【００１６】
そして、支持部１３は、頭部側方ＨＳに沿って移動可能とされている。
この実施形態では、支持部１３は、装着手段１５の連結部２１に収容可能とされ、連結部２１に沿って移動可能とされている。
すなわち、この実施形態では、図３に示すように、連結部２１に沿って断面矩形状の穴部２１ａが形成されている。
【００１７】
そして、この穴部２１ａには、断面矩形状の支持部１３が挿入され、支持部１３は穴部２１ａに沿って移動可能とされている。
図４は、表示部１１の詳細を示しており、本体部２７内には、画像を表示する液晶パネル２９と、液晶パネル２９の画像を拡大して装着者Ｍの左目ＬＩに表示するためのレンズ３１，３３が配置されている。
【００１８】
上述した表示装置は、図１に示したように、装着手段１５の連結部２１が、装着者Ｍの後頭部ＨＢ側になるようにして、２箇所の保持部１７，１９を耳Ｙに当てることにより、装着者Ｍの頭部Ｈに装着される。
そして、この状態では、連結部２１の弾性により、２箇所の保持部１７，１９が耳Ｙに軽く押圧され、表示装置が、装着者Ｍの頭部Ｈに確実に装着される。
【００１９】
そして、装着者Ｍが、表示部１１の画像を見る場合には、図１に示したように、指により表示部１１を引き出すことにより、支持部１３が、装着手段１５の連結部２１から引き出され、表示部１１が、左目ＬＩの前方に配置される。
一方、表示部１１を見ない時には、図２に示したように、指により表示部１１を後方に押すことにより、支持部１３が装着手段１５の連結部２１に収納され、表示部１１が、保持部１７の外側に配置される。
【００２０】
上述した表示装置では、頭部Ｈに装着される装着手段１５を、顔Ｆの前面にかからない位置に装着可能とし、表示部１１を支持する支持部１３は、表示部１１を装着者Ｍの眼前に配置する位置から、頭部側方ＨＳを通って移動するので、装着者Ｍにとって比較的目障りにならない表示装置を提供することができる。
すなわち、上述した表示装置では、頭部Ｈへの装着時に、装着手段１５が顔Ｆの前面にかからない位置に装着されるため、装着手段１５が目障りになることを低減することができる。
【００２１】
また、特に女性では、装着手段１５に化粧等が付着することを無くすことができる。
さらに、表示部１１を支持する支持部１３は、表示部１１を装着者Ｍの眼前に配置する位置から、頭部側方ＨＳを通って移動するので、移動する時に表示部１１および支持部１３が目障りになることを低減することができる。
【００２２】
また、上述した表示装置では、支持部１３は、頭部側方ＨＳを通って、後頭部ＨＢ側に移動するので、表示部１１および支持部１３の移動を容易に行うことができる。
さらに、上述した表示装置では、支持部１３は、頭部Ｈの輪郭に沿って移動するので、表示部１１および支持部１３の移動をより円滑に行うことができる。
【００２３】
また、上述した表示装置では、支持部１３は、連結部２１に沿って移動するので、表示部１１を使用しない時に、支持部１３をコンパクトに配置することができる。
さらに、上述した表示装置では、支持部１３は、連結部２１に収容されるようにしたので、表示部１１を使用しない時に、支持部１３を連結部２１にコンパクトに収容することができる。
【００２４】
また、上述した表示装置では、保持部１７，１９を、頭部Ｈの両側となる位置に配置したので、装着手段１５を頭部Ｈに確実に保持することができる。
さらに、上述した表示装置では、保持部１７，１９を両耳Ｙに配置したので、装着手段１５を頭部Ｈにより確実に保持することができる。
そして、上述した表示装置では、保持部１７，１９に、スピーカ２５を併設したので、画像の認識とともに音声の認識を行うことができる。
【００２５】
（第２の実施形態）
図５は、本発明の表示装置の第２の実施形態を示している。
この実施形態の表示装置では、装着手段１５Ａの連結部２１Ａとは別の位置に、支持部１３を収容する収容部３５が形成されている。
この収容部３５は、連結部２１Ａに一体形成され、頭部Ｈの後方に向けて延在されている。
【００２６】
収容部３５には、穴部３５ａが形成され、この穴部３５ａに表示部１１を支持する支持部１３が挿入されている。そして、支持部１３は穴部３５ａに沿って移動可能とされている。
なお、この実施形態において第１の実施形態と同一の部材には、同一の符号を付して詳細な説明を省略する。
【００２７】
この表示装置では、装着者Ｍが、表示部１１の画像を見る場合には、図に二点鎖線で示したように、指により表示部１１を引き出すことにより、支持部１３が収容部３５から引き出され、表示部１１が、左目ＬＩの前方に配置される。
一方、表示部１１を見ない時には、図に実線で示したように、指により表示部１１を後方に押すことにより、支持部１３が収容部３５に収納され、表示部１１が、保持部１７の外側の近傍に配置される。
【００２８】
この第２の実施形態においても第１の実施形態と略同様の効果を得ることができる。
（第３の実施形態）
図６は、本発明の表示装置の第３の実施形態を示している。
この実施形態の表示装置では、支持部１３Ａの表示部１１と反対側の端部が、装着手段１５Ａの連結部２１Ａの端部に、前後方向に折曲可能に連結され接続されている。
【００２９】
すなわち、支持部１３Ａの表示部１１と反対側の端部が、装着手段１５Ａの連結部２１Ａの端部に、公知の蝶番機構を介して、揺動可能に連結されている。
なお、この実施形態において第２の実施形態と同一の部材には、同一の符号を付して詳細な説明を省略する。
この表示装置では、装着者Ｍが、表示部１１の画像を見る場合には、図に二点鎖線で示したように、支持部１３Ａが、指により前方に向けて倒され、表示部１１が、左目ＬＩの前方に配置される。
【００３０】
一方、表示部１１を見ない時には、図に実線で示したように、指により表示部１１を後方に押すことにより、支持部１３Ａが後方に向けて倒され、表示部１１が、保持部１７の後方に配置される。
この第３の実施形態においても第１の実施形態と略同様の効果を得ることができる。
【００３１】
（第４の実施形態）
図７は、本発明の表示装置の第４の実施形態を示している。
この実施形態の表示装置では、装着手段１５Ｂの連結部２１Ｂの長さが短くされ、連結部２１Ｂの保持部１７と反対側の端部に、保持部１９Ａが配置されている。
【００３２】
そして、この保持部１９Ａは、後頭部ＨＢの右側の耳Ｙ側に寄った位置に当接するように配置されている。
なお、この実施形態において第１の実施形態と同一の部材には、同一の符号を付して詳細な説明を省略する。
この表示装置では、装着者Ｍが、表示部１１の画像を見る場合には、図に二点差線で示したように、指により表示部１１を引き出すことにより、支持部１３が装着手段１５Ｂの連結部２１Ｂから引き出され、表示部１１が、左目ＬＩの前方に配置される。
【００３３】
一方、表示部１１を見ない時には、図に実線で示したように、指により表示部１１を後方に押すことにより、支持部１３が装着手段１５Ｂの連結部２１Ｂに収納され、表示部１１が、保持部１７の外側の近傍に配置される。
この第４の実施形態においても第１の実施形態と略同様の効果を得ることができる。
【００３４】
（第５の実施形態）
図８は、本発明の表示装置の第５の実施形態を示している。
この実施形態の表示装置では、保持部１７，１９には、保持部１７，１９を耳に装着する耳装着部材３７が配置されている。
【００３５】
この耳装着部材３７は、例えば、エラストマー樹脂からなり、耳の上側に沿って変形する曲線状に形成されている。
なお、この実施形態において第１の実施形態と同一の部材には、同一の符号を付して詳細な説明を省略する。
この表示装置では、保持部１７，１９を耳により確実に装着することができる。
【００３６】
なお、耳装着部材３７は、保持部１７，１９に、外耳部に沿って回転自在になるように配設しても良い。この場合、耳装着部材３７は、耳の下側（耳たぶ）に沿って弾性変形し、表示装置を確実に装着できる。
（第６の実施形態）
図９は、本発明の表示装置の第６の実施形態を示している。
【００３７】
この実施形態の表示装置では、装着手段１５Ｃが、装着者Ｍの片耳にのみ装着される装着部材３９により形成されている。
この装着部材３９は、外耳全体を挟むことにより、耳に装着可能に構成されている。
装着部材３９には、支持部１３を収容する収容部３５が、接続部４１を介して連結されている。
【００３８】
なお、この実施形態において第１の実施形態と同一の部材には、同一の符号を付して詳細な説明を省略する。
この表示装置では、装着部材３９を装着者Ｍの片耳にのみ装着することにより、収容部３５、支持部１３および表示部１１が、装着者Ｍの頭部Ｈに保持される。
そして、装着者Ｍが、表示部１１の画像を見る場合には、図に二点鎖線で示したように、指により表示部１１を引き出すことにより、支持部１３が収容部３５から引き出され、表示部１１が、左目ＬＩの前方に配置される。
【００３９】
一方、表示部１１を見ない時には、図に実線で示したように、指により表示部１１を後方に押すことにより、支持部１３が収容部３５に収納され、表示部１１が、装着手段１５Ｃの外側の近傍に配置される。
この第６の実施形態においても第１の実施形態と略同様の効果を得ることができる。
【００４０】
なお、上述した各実施形態では、表示部１１を装着者Ｍの左目ＬＩにのみ画像を表示するように構成した例について説明したが、本発明はかかる実施形態に限定されるものではなく、例えば、装着者Ｍの右目にのみ画像を表示するように構成しても良く、また、両目に画像を表示するように構成しても良い。
【００４１】
【発明の効果】
以上述べたように、本発明の表示装置では、頭部に装着される装着手段を、頭部の前面にかからない位置に装着可能とし、表示手段を支持する支持手段を、表示手段を装着者の眼前に配置する位置から、後頭部側へ移動できるようにしたので、装着者にとって比較的目障りにならない表示装置を提供することができる。
【図面の簡単な説明】
【図１】本発明の表示装置の第１の実施形態を示す斜視図である。
【図２】図１の表示装置において支持部を連結部に収容した状態を示す斜視図である。
【図３】図１の連結部に収容される支持部を示す断面図である。
【図４】図１の表示部を示す断面図である。
【図５】本発明の表示装置の第２の実施形態を示す斜視図である。
【図６】本発明の表示装置の第３の実施形態を示す斜視図である。
【図７】本発明の表示装置の第４の実施形態を示す斜視図である。
【図８】本発明の表示装置の第５の実施形態を示す説明図である。
【図９】本発明の表示装置の第６の実施形態を示す説明図である。
【符号の説明】
１１  表示部
１３  支持部
１５  装着手段
１７  保持部
１９  保持部
２１  連結部
２５  スピーカ
３７  耳装着部材
Ｍ  装着者
Ｆ  顔
Ｈ  頭部
ＨＢ  後頭部
ＨＳ  頭部側方
Ｙ  耳
ＬＩ  左目
【図１】
2004207847.tif 000003
【図２】
2004207847.tif 000004
【図３】
2004207847.tif 000005
【図４】
2004207847.tif 000006
【図５】
2004207847.tif 000007
【図６】
2004207847.tif 000008
【図７】
2004207847.tif 000009
【図８】
2004207847.tif 000010
【図９】
2004207847.tif 000011